(57)【要約】【課題】構成を複雑にせずに、積載状態の可撓性を有するシート状の光ディスクの中から、指定された光ディスクの搬送を容易にし、しかもディスク面に付着した塵埃などの除去を可能にする。【解決手段】複数枚の可撓性を有するシート状の光ディスクを積載状態で収納するディスクカートリッジにおいて、各光ディスク１に、記録領域外におけるディスク略中央部の上下面にクリーニング用シート５を貼付して、指定された光ディスク１を、積載された光ディスク１の中から分離搬送する際に、クリーニング用シート５により他の光ディスク１の対向面をクリーニングすることを可能にする。【選択図】　　図３
2004145943.tif 000002
【特許請求の範囲】
【請求項１】
シート状で可撓性を有する複数枚の光ディスクを積載して収納してなるディスクカートリッジにおいて、
前記各光ディスクに、隣接する光ディスクの一方が外部に取り出される際に、他方の光ディスクに摺接して、光ディスクの表面を清掃するクリーニング用シートを配設したことを特徴とするディスクカートリッジ。
【請求項２】
前記クリーニング用シートが、前記光ディスクの略中央部に付設されていることを特徴とする請求項１記載のディスクカートリッジ。
【請求項３】
前記クリーニング用シートが、前記光ディスクにおける記録面側と、該記録面の反対面側との少なくともいずれか一方に設けられていることを特徴とする請求項２記載のディスクカートリッジ。
【請求項４】
前記クリーニング用シートが不織布であることを特徴とする請求項１〜３いずれか１項記載のディスクカートリッジ。
【発明の詳細な説明】
【０００１】
【発明の属する技術分野】
本発明は、記録および／または再生用のディスク、特にシート状で可撓性を有する記録／再生用の光ディスクを収納するために適用されるディスクカートリッジに関するものである。
【０００２】
【従来の技術】
今日、ディスク形状の媒体を用いた情報記録媒体には、磁気ディスク，光ディスク，光磁気ディスクなどがある。このようなディスク状記録媒体を使用するディスク装置としては従来から各種のものがあるが、その中の一つに複数枚のディスクをカートリッジに入れ、その中から任意のディスクを選んで記録／再生部に取り出して、記録あるいは再生を行うディスクチェンジャ方式のものがあり、例えばディスク自動交換式のＣＤプレーヤがこのように構成されている。
【０００３】
また、前記のように複数枚のディスクを収納したカートリッジを使用するディスク装置として、複数の記録／再生部を備えると共に装着されたカートリッジからディスクを、複数の記録／再生部にそれぞれ個別に取り出して、複数のディスクに対する記録あるいは再生を同時に、または選択的に行う方式のもの、例えばコンピュータシステムにおける外部記憶装置としてのディスクプレーヤの開発が進められている。
【０００４】
また、複数枚のディスクを収納したカートリッジとしては、例えば特許文献１に示されるようなものが挙げられ、カートリッジ本体，ディスク間の隔壁とも厚い剛性部材で構成されているのが一般的である。特許文献１に記載された発明は、ディスク間を隔壁で区切り、ディスク単体の取り出しと収納動作を前提としたものである。
【０００５】
一方、本発明者らは、特願２００２−１８３２３号として、可撓性を有するシート状の光ディスクを用いて記録／再生を行う際に、ベルヌーイの法則による空気力を利用して光ディスクの面ぶれを確実に抑制し、対物レンズとの摺接などの不具合の発生を防ぐことにより、高密度の記録を可能にした光ディスク駆動装置，光学的情報記録装置，および光学的情報再生装置、ならびにそれらに用いられるディスクカートリッジを提案した。
【０００６】
特願２００２−１８３２３号の発明によって、高ＮＡレンズを用いる際のディスクとの衝突などの問題を回避することができ、また、光ディスクが薄いことを利用し、複数枚の光ディスクをカートリッジに収納することにより、１つのカートリッジで１００ＧＢ以上の大記録容量を簡潔な構成で実現することができた。
【０００７】
【特許文献１】
特許第２７２２５１２号公報
【０００８】
【発明が解決しようとする課題】
特願２００２−１８３２３号の発明では、前記のように可撓性を有するシート状の光ディスクを１つのカートリッジに積載して収納することにより、特許文献１に記載のものより薄く簡潔な構成で、１００ＧＢ以上の大記録容量を実現することができるが、シート状の光ディスクが積載状態でカートリッジ内に収納されており、指定された光ディスクを分離して、他の光ディスクに損傷を与えずに、所定の記録／再生部まで移動させる必要がある。
【０００９】
また、特願２００２−１８３２３号の発明では、光ディスクに対して、ベルヌーイの法則による空気力を利用して面ぶれを抑制するための安定化部材、および光ピックアップがアクセスして記録／再生を行うものであるため、シート状の光ディスクにおける塵埃，異物の付着は、付着程度によっては前記安定化部材と光ピックアップの作用，動作に影響を与える。
【００１０】
本発明の目的は、前記従来技術の課題を解決し、構成を複雑にせずに、積載状態の可撓性を有するシート状の光ディスクの中から、指定された光ディスクの搬送を容易にし、しかもディスク面に付着した塵埃などの除去を可能にするディスクカートリッジを提供することにある。
【００１１】
【課題を解決するための手段】
前記目的を達成するため、請求項１に記載の発明は、シート状で可撓性を有する複数枚の光ディスクを積載して収納してなるディスクカートリッジにおいて、前記各光ディスクに、隣接する光ディスクの一方が外部に取り出される際に、他方の光ディスクに摺接して、光ディスクの表面を清掃するクリーニング用シートを配設したことを特徴とし、この構成によって、積載状態の光ディスク間にクリーニング用シートが介在することにより、光ディスク間の隙間が確保されるため、光ディスク同士が付着したり、あるいは他の光ディスクに対して摺動するときに干渉してしまうことを抑制することができ、指定された光ディスクの分離搬送が容易に行われ、しかも、光ディスクの移動時にクリーニング用シートによって光ディスク面のクリーニングが行われる。
【００１２】
請求項２に記載の発明は、請求項１記載のディスクカートリッジにおいて、クリーニング用シートが、光ディスクの略中央部に付設されていることを特徴とし、この構成によって、光ディスクの記録面に関係ない中央部分にクリーニング用シートを設けることができる。
【００１３】
請求項３に記載の発明は、請求項２記載のディスクカートリッジにおいて、クリーニング用シートが、光ディスクにおける記録面側と、該記録面の反対面側との少なくともいずれか一方に設けられていることを特徴とする。
【００１４】
請求項４に記載の発明は、請求項１〜３いずれか１項記載のディスクカートリッジにおいて、クリーニング用シートが不織布であることを特徴とし、この構成によって、光ディスクとの摺接によってクリーニング用シートから布片などが散出するなどの不具合を防ぐことができる。
【００１５】
【発明の実施の形態】
以下、本発明の好適な実施形態について図面を参照しながら説明する。
【００１６】
図１は本発明の実施形態を説明するためのディスクカートリッジに収納される光ディスクを拡大して示す構成図、図２は本実施形態のディスクカートリッジにおける光ディスク収納状態を示す斜視図である。
【００１７】
図１において、光ディスク１は、フレキシブル基板２の一面に記録層３が形成され、さらに記録層３の表面に保護層４が形成されたものであって、ディスク全体としてシート状で、かつ可撓性を有するものである。
【００１８】
より具体的に説明すると、基板として可撓性を持たせるために０．１ｍｍ程度の薄いシートを用い、例えばポリエチレンテレフタレート製の厚さ８０μｍのシートに、熱転写によりスタンパのピッチが０．６μｍ、幅０．３μｍのグルーブを転写し、その後、スパッタリングによりシート／Ａｇ反射層を１２０ｎｍ／（ＺｒＯ２−Ｙ２Ｏ３）−ＳｉＯ２，７ｎｍ／ＡｇＩｎＳｂＴｅＧｅ，１０ｎｍ／ＺｎＳ−ＳｉＯ２，２５ｎｍ／Ｓｉ３Ｎ４の順番に成膜したものであり、このシートにＵＶ樹脂をスピンコートし、紫外線照射で硬化させて厚さ５μｍの透明保護膜を形成し、さらに、このディスクを大口径のレーザ光で記録層を溶融結晶化することによって反射率を上げたものである。
【００１９】
さらに本実施形態の各光ディスク１では、記録層３領域外におけるディスク略中央部の上下面にクリーニング用シート５を貼付している。クリーニング用シート５としては、種々の材質のものを採用することができるが、本例では、ナイロン繊維からなる不織布を採用して、光ディスク１との摺接により布片などが飛散しないようにしており、厚さが０．３ｍｍ程度のものを使用している。
【００２０】
図２に示すように、本ディスクカートリッジでは、カートリッジケース６の内部に、複数枚（図では９枚を例示している）の光ディスク１を直接積み重ねるようにして収納している。カートリッジケース６の開口部には、光ディスク１の脱落を防止するため蓋体（図示せず）などが着脱可能に設けられる。
【００２１】
カートリッジケース６内では光ディスク１が積載状態になっているが、図３（ａ）に示すように、各光ディスク１における略中央部の上下面にクリーニング用シート５が設けられている。このクリーニング用シート５の存在により、ユーザから指定された光ディスク１が、後述するように、積載状態の光ディスク１の中から分離搬送される際に、図３（ｂ）に示すように、クリーニング用シート５が隣接する他の光ディスク１に対して摺動することになり、ディスク面に付着した塵埃，汚れなどを除去することができる。さらに、クリーニング用シート５により光ディスク１間に隙間が形成されるため、移動時における他の光ディスク１への干渉が抑制され、また、シート状の薄い光ディスク１において生じやすいディスク同士の貼り付きなどの不具合の発生を防ぐことができるなど、分離搬送が容易になる。
【００２２】
図４は前記のように積載されている光ディスクの中から指定された１枚を取り出して搬送するためのディスクチェンジャ機構を具備したディスク駆動装置の構成図であり、１０は、カートリッジケース５から引き出され、装置内の所定のセット位置に積載状態で設置されている光ディスク群、１１ａ，１１ｂは、チャッキング端が相対向するように設置され、光ディスク１を１枚チャッキングして周方向に回転させる上下動可能かつ回転可能な回転軸、１２は光ディスク１に対して光スポットを集光して記録／再生を行う光ピックアップ、１３は、回転軸１１ａ，１１ｂによりチャッキングされた光ディスク１を介して光ピックアップ１２と対向し、ディスク回転時に空気流の圧力（ベルヌーイの法則）を利用して、光ディスク１の記録／再生部分における面ぶれを安定化させる安定化部材、１４は回転軸１１ａ，１１ｂの間に光ディスク１を搬送するピンチローラ対である。
【００２３】
１５と１６は、光ディスク群１０のセット位置に設けられ、光ディスク１を１枚ずつ分離給送するピックアップローラとピンチローラであり、ピックアップローラ１５とピンチローラ１６とは、回転可能かつディスク径方向に沿って移動可能であり、さらに互に接した状態で上下動可能に構成されている。また、ピックアップローラ１５は、図５に示すように、中空ゴム部材１７の中央孔１８が空気吸引用通路となっており、さらに中空ゴム部材１７の一部に中央孔１８と外部とを連通して、空気吸引によって光ディスク１を吸着する吸着口１９が設けられている。
【００２４】
図６〜図１１は前記構成のディスク駆動装置の動作の説明図であり、先ず、図６に示すように、上位位置に位置しているピックアップローラ１５は、同じく上位位置にセットされている光ディスク群１０の最下層の光ディスク１に接して、吸着口１９の吸引作用によって最下層の光ディスク１を吸着状態にして回転し、かつ光ディスク１の内径方向（矢印Ａ方向）へ移動する。
【００２５】
ピックアップローラ１５で吸着された光ディスク１は、図７に示すように、回転するピックアップローラ１５に巻き付くようにしてピンチローラ１６とで挟持され、先端がピンチローラ対１４のニップＮ方向へ搬送ガイドされる。ピンチローラ対１４は光ディスク１の先端が到達する前に始動して回転している。
【００２６】
光ディスク１は、ピンチローラ対１４に達すると、図８に示すように、離間状態になっている回転軸１１ａ，１１ｂの間隙に送られ（矢印Ａ方向）、さらに光ディスク１の先端部が光ピックアップ１２と安定化部材１３との対向間隙にまで送られる。
【００２７】
さらに、図９に示すように、光ディスク１が記録／再生のための所定のセット位置まで送られると、回転軸１１ａ，１１ｂが近接して光ディスク１の中央を挟持して回転駆動を開始する。光ディスク１が回転すると、空気流の圧力を利用した安定化部材１３による光ディスク１に対する面ぶれ安定化作用が働き、光ディスク１を介して安定化部材１３に対して対向設置された光ピックアップ１２による記録／再生動作が行われることになる。
【００２８】
また、図９に示す状態において、光ディスク群１０は下位位置に移動（矢印Ｂ方向）すると共に、ピックアップローラ１５およびピンチローラ１６も下位位置に移動（矢印Ｃ方向）し、記録／再生後の光ディスク１を光ディスク群１０まで戻すための設定位置で待機する。
【００２９】
図９に示す状態から光ディスク１を光ディスク群１０まで戻すとき、図１０に示すように、回転軸１１ａ，１１ｂが離間し、ピンチローラ対１４が逆回転することにより、光ディスク１は、ピックアップローラ１５方向に搬送（矢印Ｄ方向）されて吸着口１９で吸着され、ピックアップローラ１５に巻き付く。そして、ピックアップローラ１５の回転は、光ディスク１の先端がピックアップローラ１５とピンチローラ１６とのニップＮに達した時点で停止し、その後は、図１１に示すように、ピンチローラ対１４のみが回転して光ディスク１を送り出すことにより、光ディスク１は光ディスク群１０の上に乗るようにして戻される。
【００３０】
また、光ディスク群１０の中から、指定された１枚の光ディスク１を取り出すには、指定外の光ディスク１に対して、回転軸１１ａ，１１ｂを離間したままで、記録／再生動作を行わず、図６〜図１１を参照して説明したような光ディスク１の送り出し、および戻し動作を繰り返して、指定された光ディスク１が図８に示す位置にセットされた時点で、回転軸１１ａ，１１ｂで挟持し、光ピックアップ１２による記録／再生動作を行うようにする。
【００３１】
前記のようなディスク駆動装置による光ディスクの移動中に、クリーニング用シート５による各光ディスク１のクリーニングが行われることになる。
【００３２】
なお、前記実施形態における光ディスク１は、図１に示すように、クリーニング用シート５をディスク中央部に設けているが、記録／再生に影響しない光ディスク１の表面領域であれば他の部位に設けてもよく、また、少なくともフレキシブル基板２と記録層３とのいずれか一方に設ければよい。
【００３３】
【発明の効果】
以上説明したように、本発明によれば、ディスクカートリッジに収納され、積載状態の光ディスク間にクリーニング用シートが介在することにより、光ディスク間に隙間が確保されるため、光ディスク同士が付着したり、あるいは他の光ディスクに対して摺動するときに干渉するなどの不具合を抑制することができ、指定された光ディスクの分離搬送が容易かつ確実に行われ、しかも、光ディスクの移動時にクリーニング用シートによって光ディスク面のクリーニングが行われるなど、可撓性を有するシート状の光ディスクの実使用に際して効果が大である。
【図面の簡単な説明】
【図１】本発明の実施形態を説明するためのディスクカートリッジに収納される光ディスクを拡大して示す構成図
【図２】本実施形態のディスクカートリッジにおける光ディスク収納状態を示す斜視図
【図３】本実施形態における光ディスク搬送時のクリーニングなどの説明図
【図４】本実施形態の光ディスクカートリッジに収納される光ディスクの中から指定された１枚を取り出すためのディスクチェンジャ機構を具備したディスク駆動装置の構成図
【図５】図４のディスク駆動装置におけるピックアップローラの構成を示す断面図
【図６】図４のディスク駆動装置の動作の説明図
【図７】図４のディスク駆動装置の動作の説明図
【図８】図４のディスク駆動装置の動作の説明図
【図９】図４のディスク駆動装置の動作の説明図
【図１０】図４のディスク駆動装置の動作の説明図
【図１１】図４のディスク駆動装置における光ディスクが光ディスク群に戻る状態の説明図
【符号の説明】
１　光ディスク
２　フレキシブル基板
３　記録層
５　クリーニング用シート
６　カートリッジケース
【図１】
2004145943.tif 000003
【図２】
2004145943.tif 000004
【図３】
2004145943.tif 000005
【図４】
2004145943.tif 000006
【図５】
2004145943.tif 000007
【図６】
2004145943.tif 000008
【図７】
2004145943.tif 000009
【図８】
2004145943.tif 000010
【図９】
2004145943.tif 000011
【図１０】
2004145943.tif 000012
【図１１】
2004145943.tif 000013